(57)【要約】【課題】  射撃ゲーム機能付時計の提供。【解決手段】  時計の底座の中心に軸座と該軸座周囲を囲むように配置された複数の回転部材が設けられ、回転盤と射撃盤が軸座の回りを回転し、該回転盤に伝動機構と噛み合い伝動する外歯車が設けられ、該回転盤に収容孔が設けられて射撃盤の底の検出機構を収容し、該検出機構に導電弾性片が設けられ、底座の環状導電片と接触し導通し、射撃盤の誘導機構に対応する部分に目標物が設けられ、該目標物の底に歯車が設けられ、収容孔内の内歯車と噛み合い伝動し、該誘導機構は射撃盤上に受信器を具えて発射器の発射する光信号を受け取り、玩具銃で光線を目標物に命中させる時、検出機構が信号を制御回路に送り、制御回路が伝動機構を制御して逆方向更に順方向に回転盤を回転させ、目標物を収容孔の範囲内とし、歯車と内歯車の噛み合い、伝動により前後の回転状態を形成し、指示ランプにより目標物への命中の回数を表示する。【選択図】        図２
0003105447.tif 000002
【実用新案登録請求の範囲】
【請求項１】
射撃ゲーム機能付時計において、この時計は、底座、文字盤ケース、外ケース、制御回路、伝動機構、回転盤、射撃盤、検出機構、ブザーを具え、
該底座は、軸座を具え、該回転盤と射撃盤は中心に内孔が設けられて軸座中に嵌合され、該軸座の円周の上下に複数の回転手段が等間隔に枢設され、該複数の回転手段により回転盤と射撃盤が接触し回転し、該底座の回転盤に対応する部分に環状導電片が設けられ、導線で制御回路に接続され、
該回転盤は、その円周に外歯車が設けられて伝動機構と噛み合い、該回転盤に検出機構設置用の複数の収容孔が設けられ、該収容孔内に内歯車が設けられ、
該伝動機構は、回転盤の一側に設けられ、該伝動機構はモータの主動歯車が減速歯車に噛み合い、該減速車が従動歯車に噛み合い、従動歯車が回転盤の外歯車に噛み合い、
該制御回路は導線で環状導電片、電池シート、スイッチ、伝動機構、指示ランプ、ブザーに接続され、該制御回路に録音済み音声ＩＣが設けられ、該制御回路がモータの正、負極を切り換えてモータを正回転或いは逆回転させ、
該射撃盤は回転盤の上に設置され、該射撃盤の底面の収容孔に対応する位置に検出機構が設けられ、該射撃盤の上面の検出機構に対応する部分に目標物が設置され、該目標物が回転軸で射撃盤に枢設され、該回転軸中に収容孔の内歯車と噛み合う歯車が設けられ、該射撃盤は歯車の両側に位置決め柱を具え、
該検出機構は導電弾性片を具え、該導電弾性片は収容孔を通して底座の環状導電片と接触し、該検出機構は射撃盤の上面に受信器を具え、該受信器は銃の発射する光線信号を受信でき、
該文字盤ケースは底座の上方に設置され、該文字盤ケースに時計のムーブメント装置、スイングウエイト、及び指針の設置に供されるムーブメントシートが設けられ、該ムーブメントシートに複数の指示ランプが設けられ、該指示ランプが導線で制御回路に接続され、
該外ケースは底座の外部を被覆し、該外ケースに光線信号を透過させる透明板が設けられたことを特徴とする、射撃ゲーム機能付時計。
【請求項２】
請求項１記載の射撃ゲーム機能付時計において、底座と文字盤ケースの回転盤外周に対応する部分に相互に接続された区画板が設けられたことを特徴とする、射撃ゲーム機能付時計。
【請求項３】
請求項１記載の射撃ゲーム機能付時計において、底座と外ケースに相互に対応し係合する係止溝と係止突起が設けられたことを特徴とする、射撃ゲーム機能付時計。
【請求項４】
請求項１記載の射撃ゲーム機能付時計において、文字盤ケースに固定布背景面が設けられたことを特徴とする、射撃ゲーム機能付時計。
【請求項５】
請求項１記載の射撃ゲーム機能付時計において、文字盤ケースが時計のスイングウエイトに接続された可動背景板面を具え、該可動背景板面がスイングウエイトの揺動に伴い、固定布背景面上で往復揺動することを特徴とする、射撃ゲーム機能付時計。
【考案の詳細な説明】
【技術分野】
【０００１】
本考案は射撃ゲーム機能付時計に関する。本考案の時計は、底座、文字盤ケース、外カバー、制御回路、伝動機構、回転盤、射撃盤、検出機構を具え、音声ＩＣ、指示ランプが組み合わされ、時計が時間表示の機能のほか、音声と光の効果を有する射撃ゲーム機能を具えたものとされ、そのうち、文字盤ケースにムーブメントシートが設けられ、ムーブメント装置と指針の設置に供され、底座の中心に回転盤と射撃盤を収容できる軸座が設けられ、該底座の円周に回転盤と射撃盤を回転させる伝動機構が設けられ、該回転盤と射撃盤に少なくとも一つの収容孔と検出機構が設けられ、該底座と検出機構に相互に接触する環状導電片と導電弾性片が設けられ、該検出機構に手持ちのガンの照準射撃を受け取る受信器が設けられ、該射撃盤の受信器に対応する部分に目標物が設けられ、該目標物と収容孔の間に相互に噛み合う歯車と内歯車が設けられ、目標物に命中する時、検出機構が制御回路に正、負の電極を切り換えるように通知し、伝動機構が先に逆方向に更に順方向に回転盤を回転させ、収容孔の内歯車を往復して目標物の歯車と噛み合わせて回転させ、目標物を前後に回転させて的中を表示する。
【背景技術】
【０００２】
周知の掛け時計は美しい外観造形により消費者の購入意欲をかき立て、なかには動作する玩具が組み合わされて動態の視覚効果を増して消費者の購入意欲を刺激するようにしたものもある。しかし静態の外観のものも、動態の玩具が組み合わされたものも、周知の掛け時計の文字盤には一種類のパターンしか設けられておらず、長期に目にすると新鮮感が失われる。これが周知の技術の解決を要する問題と欠点である。
【考案の開示】
【考案が解決しようとする課題】
【０００３】
本考案は周知の技術の問題と欠点を解決する、一種の射撃ゲーム機能付時計を提供することを課題としている。
【課題を解決するための手段】
【０００４】
請求項１の考案は、射撃ゲーム機能付時計において、この時計は、底座、文字盤ケース、外ケース、制御回路、伝動機構、回転盤、射撃盤、検出機構、ブザーを具え、
該底座は、軸座を具え、該回転盤と射撃盤は中心に内孔が設けられて軸座中に嵌合され、該軸座の円周の上下に複数の回転手段が等間隔に枢設され、該複数の回転手段により回転盤と射撃盤が接触し回転し、該底座の回転盤に対応する部分に環状導電片が設けられ、導線で制御回路に接続され、
該回転盤は、その円周に外歯車が設けられて伝動機構と噛み合い、該回転盤に検出機構設置用の複数の収容孔が設けられ、該収容孔内に内歯車が設けられ、
該伝動機構は、回転盤の一側に設けられ、該伝動機構はモータの主動歯車が減速歯車に噛み合い、該減速車が従動歯車に噛み合い、従動歯車が回転盤の外歯車に噛み合い、
該制御回路は導線で環状導電片、電池シート、スイッチ、伝動機構、指示ランプ、ブザーに接続され、該制御回路に録音済み音声ＩＣが設けられ、該制御回路がモータの正、負極を切り換えてモータを正回転或いは逆回転させ、
該射撃盤は回転盤の上に設置され、該射撃盤の底面の収容孔に対応する位置に検出機構が設けられ、該射撃盤の上面の検出機構に対応する部分に目標物が設置され、該目標物が回転軸で射撃盤に枢設され、該回転軸中に収容孔の内歯車と噛み合う歯車が設けられ、該射撃盤は歯車の両側に位置決め柱を具え、
該検出機構は導電弾性片を具え、該導電弾性片は収容孔を通して底座の環状導電片と接触し、該検出機構は射撃盤の上面に受信器を具え、該受信器は銃の発射する光線信号を受信でき、
該文字盤ケースは底座の上方に設置され、該文字盤ケースに時計のムーブメント装置、スイングウエイト、及び指針の設置に供されるムーブメントシートが設けられ、該ムーブメントシートに複数の指示ランプが設けられ、該指示ランプが導線で制御回路に接続され、
該外ケースは底座の外部を被覆し、該外ケースに光線信号を透過させる透明板が設けられたことを特徴とする、射撃ゲーム機能付時計としている。
請求項２の考案は、請求項１記載の射撃ゲーム機能付時計において、底座と文字盤ケースの回転盤外周に対応する部分に相互に接続された区画板が設けられたことを特徴とする、射撃ゲーム機能付時計としている。
請求項３の考案は、請求項１記載の射撃ゲーム機能付時計において、底座と外ケースに相互に対応し係合する係止溝と係止突起が設けられたことを特徴とする、射撃ゲーム機能付時計としている。
請求項４の考案は、請求項１記載の射撃ゲーム機能付時計において、文字盤ケースに固定布背景面が設けられたことを特徴とする、射撃ゲーム機能付時計としている。
請求項５の考案は、請求項１記載の射撃ゲーム機能付時計において、文字盤ケースが時計のスイングウエイトに接続された可動背景板面を具え、該可動背景板面がスイングウエイトの揺動に伴い、固定布背景面上で往復揺動することを特徴とする、射撃ゲーム機能付時計としている。
【考案の効果】
【０００５】
本考案によると、時計の底座の中心に軸座と該軸座周囲を囲むように配置された複数の回転部材が設けられ、回転盤と射撃盤が軸座の回りを回転し、該回転盤に伝動機構と噛み合い伝動する外歯車が設けられ、該回転盤に収容孔が設けられて射撃盤の底の検出機構を収容し、該検出機構に導電弾性片が設けられ、底座の環状導電片と接触し導通し、射撃盤の誘導機構に対応する部分に目標物が設けられ、該目標物の底に歯車が設けられ、収容孔内の内歯車と噛み合い伝動し、該誘導機構は射撃盤上に受信器を具えて発射器の発射する光信号を受け取り、玩具銃で光線を目標物に命中させる時、検出機構が信号を制御回路に送り、制御回路が伝動機構を制御して逆方向更に順方向に回転盤を回転させ、目標物を収容孔の範囲内とし、歯車と内歯車の噛み合い、伝動により前後の回転状態を形成し、指示ランプにより目標物への命中の回数を表示する。
【考案を実施するための最良の形態】
【０００６】
本考案は回転可能な回転盤と射撃盤を具え、射撃盤に少なくとも一つの目標物と検出機構が設けられ、該検出機構が射撃盤表面に設けられた受信器と射撃盤底面に設けられた導電弾性片を具え、該導電弾性片が時計の底座の環状導電片と接触し導通し、使用者が手持ちの銃で目標物の照準を合わせて光線を発射して射撃した後、銃の発射器の発射する光束が対応する受信器に照射されると、検出機構の導電片が信号を制御回路に送り、制御回路が伝動機構の正、負極を切り換え、伝動機構が先に回転盤を反転させてから正転させ、該回転盤が検出機構に設けられた収容孔と内歯車に対応し、該目標物に内歯車と噛み合い駆動される歯車が設けられ、該目標物に光束が命中する時、前後に回転する状態が形成され、また時計の文字盤ケースに設けられた指示ランプにより目標物への命中の回数が示され、また時計の底座にブザーが設けられて、予め録音された音声により真実の音と光の効果が増され、射撃ゲーム機能を具えた時計構造とされ、時計の付加価値が高められ、消費者の購入意欲を刺激するものとされている。
【実施例１】
【０００７】
図１、２は本考案の立体組合せ図及び立体分解図、図３は本考案の平面組合せ図、図４、５は図３のＡ−Ａ及びＢ−Ｂ断面図である。本考案の時計１は、底座１０、文字盤ケース２０、外ケース３０、制御回路４０、伝動機構５０、回転盤６０、射撃盤７０、検出機構８０を具え、更にブザー９０が組み合わされてなる。
【０００８】
該底座１０の内部中心部分に軸座１１が文字盤ケース２０、回転盤６０と射撃盤７０が嵌合され、該軸座１１の円周の底部と上部に等分配置された複数の軸柱１２が設けられ、枢設手段Ｐを用いて回転手段１３が枢設され、回転盤６０と射撃盤７０の内孔が回転手段１３上で活発に活動可能とされ、該底座１０の底面の回転盤６０に対応する部分に環状導電片１４が設けられ、並びに導線Ｑで制御回路４０に接続され、該底座１０の回転盤６０と射撃盤７０の外周に対応する部分に円形の区画板１５が設けられ、区画板１５と外壁の間に複数の電池シート１６、伝動機構５０、制御回路４０、ブザー９０、スイッチ１７が設けられ、該底座１０の外壁内側に肩部１８が設けられ、文字盤ケース２０の設置に供され、該底座１０外壁上面に複数の係止溝１９が設けられ、外ケース３０の係止突起３１との係合に供され、簡単に分解組立可能とされている。
【０００９】
該文字盤ケース２０は、底座１０の円形の区画板１５に対応する部分に円形の区画板２１を具え、該文字盤ケース２０の中心にムーブメントシート２２が設けられ、該ムーブメントシート２２の下半部が固定布背景面２３を利用して区画板１５と接続され、ムーブメントシート２２にムーブメント装置２４、スイングウエイト２５及び指針２６が設けられ、該スイングウエイト２５に可動背景板面２７が設けられ、該可動背景板面２７はスイングウエイト２５に伴い固定布背景面２３上で往復揺動し、ムーブメントシート２２の円周表面に複数の指示ランプ２８が設けられ、この複数の指示ランプ２８が導線Ｑで制御回路４０に接続されている。
【００１０】
該外ケース３０は、中心に中空部分３１が設けられ、該中空部分３１が透明板３２で被覆され、該外ケース３０の外周の円周部分に複数の係止突起３３が設けられ、底座１０の係止溝１９中に係合し、結合されて一体とされる。
【００１１】
該制御回路４０は、図７の本考案の回路表示図に示されるように、環状導電片１４、電池シート１６、スイッチ１７、伝動機構５０、指示ランプ２８、ブザー９０に接続され、該制御回路４０に録音済み音声ＩＣ４１が設けられ、該制御回路４０は伝動機構５０の正、負極を切り換えて、伝動機構５０を順方向と逆方向に回転させる。
【００１２】
図６の本考案の伝動機構の立体分解図を参照されたい。伝動機構５０は、ケース５１、カバー５２、モータ５３、主動歯車５４、減速歯車５５、従動歯車５６を具え、該伝動機構５０はモータ５３により主動歯車５４を駆動して回転させ、該主動歯車５４が減速歯車５５の大歯車５７と噛み合い動力を伝送し、更に減速歯車５５の小歯車５８と従動歯車５６が噛み合い動力を伝送し、該従動歯車５６は回転盤６０の円周の外歯車６２と噛み合い動力を伝送し、回転盤６０がモータ５３の順方向或いは逆方向の駆動により、順方向或いは逆方向に回転する。
【００１３】
該回転盤６０は、中心に内孔６１が設けられ、底座１０の軸座１１中に嵌合され、該回転盤６０の外周の円周部分に外歯車６２が設けられ、これにより伝動機構５０の従動歯車５６と噛み合い伝動し、該回転盤６０の盤面に複数の収容孔６３が設けられ、該収容孔６３内に内歯車６４が設けられている。
【００１４】
該射撃盤７０は、中心に内孔７１を具え、底座１０の軸座１１中に嵌合され、該射撃盤７０の底面の上述の回転盤６０の収容孔６１に対応する位置に検出機構８０が設けられ、該射撃盤７０の上面の該検出機構８０に対応する部分に軸孔７２が設けられ、目標物７３の回転軸７４が通され、該回転軸７４に歯車７５とバネ７６が設けられ、更にネジＲで固定され、該射撃盤７０の歯車７５の二辺に位置決め柱７７が設けられ、歯車７５を保護して収容孔６３との衝突を防止している。
【００１５】
該検出機構８０の底面に正、負の二つの導電弾性片８１が設けられ、この二つの導電弾性片８１は収容孔６３を通して底座１０の環状導電片１４と接触導通し、該検出機構８０の上面に受信器８２が設けられ、該受信器８２は射撃盤７０において露出し、銃８３の発射器８４の発射した光線信号を受け取り、該銃８３にスイッチボタン８５と引き金８６が設けられている。
【００１６】
該ブザー９０は音声ＩＣ４１に予め録音された音声、例えば銃声、命中音、その他の音声を再生できる。
【００１７】
本考案は以上の部品が組み合わされてなり、それは、射撃ゲーム機能付時計であり、実際の応用操作は以下のとおりである。
【００１８】
図７の本考案の平面配置図、及び図８の本考案の射撃命中状態表示図を参照されたい。使用者が射撃ゲームを行ないたい時、時計１のスイッチ１７をオンの位置に切り換え、続いて銃８３のスイッチボタン８５を押せば、伝動機構５０のモータ５３が起動し、該モータ５３の動力が減速後に従動歯車５６より回転盤６０と射撃盤７０を回転させ、該射撃盤７０上の目標物７３を固定布背景面２３の一辺より上昇させ、更にもう一辺より下降させ、この過程中に、使用者が銃８３で目標物７３に照準を定め更に引き金８６を引いて射撃すると、発射器８４が光線信号を受信器８２に向けて発射する。
【００１９】
図９は本考案の目標物転落状態表示図である。目標物７３に命中すると、検出機構８０が導電弾性片８１、環状導電片１４、導線Ｑを介して信号を制御回路４０に送り、制御回路４０が伝動機構５０の正、負極を切り換え、伝動機構５０が先に回転盤６０を順方向更に逆方向に回転させ、収容孔６３内の内歯車６４が往復して目標物７３の歯車７５と噛み合い伝動し、このとき、目標物７３が前後に回転する命中動作を行ない、また音声ＩＣ４１とブザー９０が命中音声を発生し、且つ文字盤ケース２０の指示ランプ２８が点灯して命中回数を表示し、設定された命中回数が達成されると、歓声音声を発生し、設定された命中回数が未達成であると、失望音声を発生する。
【００２０】
本考案は実際に製造完成されたものを反復試験した結果、確実に予期された作用効果を達成することが実証され、実用性と進歩性を具備するものである。また本考案の構造は従来にはないものであり、新規性を具え、産業上の利用価値を具えている。
【図面の簡単な説明】
【００２１】
【図１】本考案の立体組合せ図である。
【図２】本考案の立体分解図である。
【図３】本考案の平面組合せ図である。
【図４】図３のＡ−Ａ断面図である。
【図５】図３のＢ−Ｂ断面図である。
【図６】本考案の伝動機構の立体分解図である。
【図７】本考案の本考案の回路表示図である。
【図８】本考案の射撃命中状態表示図である。
【図９】本考案の目標物転落状態表示図である。
【符号の説明】
【００２２】
１  時計
１０  底座                      １１  軸座
１２  軸柱                      １３  回転手段
１４  環状導電片                １５  区画板
１６  電池シート                １７  スイッチ
１８  肩部                      １９  係止溝
２０  文字盤ケース              ２１  円形の区画板
２２  ムーブメントシート        ２３  固定布背景面
２４  ムーブメント装置          ２５  スイングウエイト
２６  指針                      ２７  可動背景板面
２８  指示ランプ
３０  外ケース                  ３１  中空部分
３２  透明板                    ３３  係止突起
４０  制御回路                  ４１  音声ＩＣ
５０  伝動機構                  ５１  ケース
５２  カバー                    ５３  モータ
５４  主動歯車                  ５５  減速歯車
５６  減速歯車                  ５７  大歯車
５８  小歯車
６０  回転盤                    ６１  内孔
６２  外歯車                    ６３  収容孔
６４  内歯車
７０  射撃盤                    ７１  内孔
７２  軸孔                      ７３  目標物
７４  回転軸                    ７５  歯車
７６  バネ                      ７７  位置決め柱
８０  検出機構                  ８１  導電弾性片
８２  受信器                    ８３  銃
８４  発射器                    ８５  スイッチボタン
８６  引き金
９０  ブザー
Ｐ  枢設手段
Ｑ  導線
Ｒ  ネジ
【図１】
0003105447.tif 000003
【図２】
0003105447.tif 000004
【図３】
0003105447.tif 000005
【図４】
0003105447.tif 000006
【図５】
0003105447.tif 000007
【図６】
0003105447.tif 000008
【図７】
0003105447.tif 000009
【図８】
0003105447.tif 000010
【図９】
0003105447.tif 000011